(57)【要約】【課題】カメラを具備する携帯端末装置において、携帯端末装置は小型性、操作耐久性および耐落下衝撃性を保持しつつ、カメラ使用時にのみカメラを露呈し、カメラ不使用時にはカメラを隠して撮像していないことを第三者に明確に示すことを可能にする携帯端末装置を提供することを目的とする。【解決手段】筐体１０１内部に設けたカメラ１０２と、前記筐体１０１の前記カメラ１０２に相対する箇所に開口した窓１０３と、前記窓１０３と前記カメラ１０２との間に位置するように設けた遮蔽部材１０４と、前記遮蔽部材１０４を透明状態および有色状態の間で変化させる制御手段と、を有することを特徴とする。【選択図】図１
2004056297.tif 000002
【特許請求の範囲】
【請求項１】
筐体内部に設けたカメラと、
前記筐体の前記カメラに相対する箇所に開口した窓と、
前記窓と前記カメラとの間に位置するように設けた遮蔽部材と、
前記遮蔽部材を透明状態および有色状態の間で変化させる制御手段と、を有することを特徴とする携帯端末装置。
【請求項２】
請求項１に記載の携帯端末装置であって、前記遮蔽部材は、前記制御手段の制御によって、カメラ使用時に透明状態になり、カメラ不使用時に有色状態になることを特徴とする携帯端末装置。
【請求項３】
請求項１または請求項２に記載の携帯端末装置であって、
前記遮蔽部材は、前記制御手段の制御によって、前記筐体の外部の光の特定波長を反射させて有色状態になるディスプレイによって形成されることを特徴とする携帯端末装置。
【請求項４】
請求項３に記載の携帯端末装置であって、
前記遮蔽部材は、カイラルネマティック液晶デバイスによって形成されることを特徴とする携帯端末装置。
【請求項５】
請求項１または請求項２に記載の携帯端末装置であって、
前記遮蔽部材は、前記制御手段の制御によって、発光して有色状態になるディスプレイによって形成されることを特徴とする携帯端末装置。
【請求項６】
請求項５に記載の携帯端末装置であって、
前記遮蔽部材は、透明ＥＬ（Ｅｌｅｃｔｒｏ　　Ｌｕｍｉｎｅｓｃｅｎｃｅ）デバイスによって形成されることを特徴とする携帯端末装置。
【請求項７】
請求項１または請求項２に記載の携帯端末装置であって、
前記遮蔽部材は、エレクトロクロミックデバイスによって形成されることを特徴とする携帯端末装置。
【請求項８】
請求項１から請求項７のいずれか一項に記載の携帯端末装置であって、
前記制御手段は、前記遮蔽部材の全面を透明状態と有色状態とに制御可能なことを特徴とする携帯端末装置。
【請求項９】
請求項１から請求項８のいずれか一項に記載の携帯端末装置であって、
前記遮蔽部材は、ドットマトリクス表示ディスプレイによって形成され、
前記制御手段は各ドット毎に透明状態と有色状態とに制御可能なことを特徴とする携帯端末装置。
【請求項１０】
請求項９に記載の携帯端末装置であって、
前記制御手段の制御によって、前記遮蔽部材は、所定パターンの領域が透明状態と有色状態とに変化し、前記有色状態では前記所定パターンが表示されることを特徴とする携帯端末装置。
【請求項１１】
請求項１から請求項１０のいずれか一項に記載の携帯端末装置であって、
前記制御手段の制御によって、前記遮蔽部材は、前記カメラを覆う箇所のみを透明状態に変化させることを特徴とする携帯端末装置。
【請求項１２】
請求項１から請求項１１のいずれか一項に記載の携帯端末装置であって、
前記制御手段の制御によって、前記遮蔽部材の前記カメラを覆わない箇所に、前記カメラによって撮像される像を映し出すことを特徴とする携帯端末装置。
【発明の詳細な説明】
【０００１】
【発明の属する技術分野】
本発明は、カメラを具備する携帯端末装置に関する。
【０００２】
【従来の技術】
図６は従来技術である特開２００１−３０９００３号公報に記載されたカメラ付き携帯電話器の説明図である。図６（ａ）はカメラを使用しないカメラ不使用時を示す説明図であり、図６（ｂ）はカメラを使用するカメラ使用時を示す説明図である。
【０００３】
携帯電話器本体５０は、カメラ５１を搭載すると共に、このカメラ５１を覆う遮蔽部材５２を、本体５０に設けられた溝部５３などのガイドを利用して摺動可能に設けている。
【０００４】
この遮蔽部材５２は、カメラ不使用時（図６（ａ））にはカメラ５１を覆うよう位置させ、カメラ使用時（図６（ｂ））には、溝部５３上を摺動させてカメラ５１を露出するよう位置させることができる。
【０００５】
よって、使用者は、カメラ不使用時にはカメラ５１を覆う位置にセットし、カメラ使用時にのみ、遮蔽部材５２を手で摺動させてカメラ５１を露出させることになる。
【０００６】
【発明が解決しようとする課題】
しかしながら、このような従来技術によれば、遮蔽部材５２の移動が手動であるため、撮像したいときには遮蔽部材５２を移動させてからでないとカメラが使用できず、操作が煩雑であるとの問題点があった。
【０００７】
また、操作の煩雑さを回避するために、例えばこの遮蔽部材５２を電動式で設けることも考えられるが、この場合には、アクチュエータなどの駆動部や、しっかりとした溝部５３を設けなければならず、携帯電話器本体の小型化を阻害することになってしまう。さらには、部品点数が多くなるため、操作耐久性や耐落下衝撃性の低下が危惧される。
【０００８】
【課題を解決するための手段】
上記の課題を解決するために、請求項１に記載の発明は、筐体内部に設けたカメラと、前記筐体の前記カメラに相対する箇所に開口した窓と、前記窓と前記カメラとの間に位置するように設けた遮蔽部材と、前記遮蔽部材を透明状態および有色状態の間で変化させる制御部などの制御手段と、を有することを特徴とする。
【０００９】
よって、遮蔽部材を設けることにより、携帯端末装置は小型性、操作耐久性および耐落下衝撃性を保持しつつ、常に外塵からカメラを保護することが可能になると共に、カメラ不使用時には遮蔽部材を有色状態にすることで、前記カメラを外部から見えないように隠して撮像していないことを第三者に明確に示すことが可能になる。
【００１０】
上記の課題を解決するために、請求項２に記載の発明は、請求項１に記載の携帯端末装置であって、前記遮蔽部材は、前記制御手段の制御によって、カメラ使用時に透明状態になり、カメラ不使用時に有色状態になることを特徴とする。
【００１１】
よって、カメラ不使用時には遮蔽部材を有色状態にすることで、前記カメラを外部から見えないように隠して撮像していないことを第三者に明確に示すことが可能になる。
【００１２】
上記の課題を解決するために、請求項３に記載の発明は、請求項１又は請求項２に記載の携帯端末装置であって、前記遮蔽部材は、前記制御手段の制御によって、前記筐体の外部の光の特定波長を反射させて有色状態になるディスプレイによって形成されることを特徴とする。
【００１３】
よって、遮蔽部材を設けることにより、携帯端末装置は小型性、操作耐久性および耐落下衝撃性を保持しつつ、常に外塵からカメラを保護することが可能になると共に、カメラ不使用時には遮蔽部材で外光の特定波長を反射させて有色状態にすることで、前記カメラを外部から見えないように隠して撮像していないことを第三者に明確に示すことが可能になる。
【００１４】
上記の課題を解決するために、請求項４に記載の発明は、請求項３に記載の携帯端末装置であって、前記遮蔽部材は、カイラルネマティック液晶デバイスによって形成されることを特徴とする。
【００１５】
よって、カイラルネマティック液晶デバイスで形成した遮蔽部材を設けることにより、携帯端末装置は小型性、操作耐久性および耐落下衝撃性を保持しつつ、常に外塵からカメラを保護することが可能になると共に、カメラ不使用時には遮蔽部材で外光の特定波長を反射させて有色状態にすることで、前記カメラを外部から見えないように隠して撮像していないことを第三者に明確に示すことが可能になる。
【００１６】
上記の課題を解決するために、請求項５に記載の発明は、請求項１または請求項２に記載の携帯端末装置であって、前記遮蔽部材は、前記制御手段の制御によって、発光して有色状態になるディスプレイによって形成されることを特徴とする。
【００１７】
よって、携帯端末装置は小型性、操作耐久性および耐落下衝撃性を保持しつつ、常に外塵からカメラを保護することが可能になると共に、カメラ不使用時には遮蔽部材を発光させて有色状態とすることで、前記カメラを外部から見えないように隠して撮像していないことを第三者に明確に示すことが可能になる。
【００１８】
上記の課題を解決するために、請求項６に記載の発明は、請求項５に記載の携帯端末装置であって、前記遮蔽部材は、透明ＥＬ（Ｅｌｅｃｔｒｏ　　Ｌｕｍｉｎｅｓｃｅｎｃｅ）デバイスによって形成されることを特徴とする。
【００１９】
よって、透明ＥＬ（Ｅｌｅｃｔｒｏ　　Ｌｕｍｉｎｅｓｃｅｎｃｅ）デバイスで形成した遮蔽部材を設けることにより、携帯端末装置は小型性、操作耐久性および耐落下衝撃性を保持しつつ、常に外塵からカメラを保護することが可能になると共に、カメラ不使用時には遮蔽部材を発光させて有色状態とすることで、前記カメラを外部から見えないように隠して撮像していないことを第三者に明確に示すことが可能になる。
【００２０】
上記の課題を解決するために、請求項７に記載の発明は、請求項１または請求項２に記載の携帯端末装置であって、前記遮蔽部材は、エレクトロクロミックデバイスによって形成されることを特徴とする。
【００２１】
よって、エレクトロクロミックデバイスで形成した遮蔽部材を設けることにより、携帯端末装置は小型性、操作耐久性および耐落下衝撃性を保持しつつ、常に外塵からカメラを保護することが可能になると共に、カメラ不使用時には遮蔽部材を発色させて有色状態とすることで、前記カメラを外部から見えないように隠して撮像していないことを第三者に明確に示すことが可能になる。
【００２２】
上記の課題を解決するために、請求項８に記載の発明は、請求項１から請求項７のいずれか一項に記載の携帯端末装置であって、前記制御手段は、前記遮蔽部材の全面を透明状態と有色状態とに制御可能なことを特徴とする。
【００２３】
よって、携帯端末装置は小型性、操作耐久性および耐落下衝撃性を保持しつつ、常に外塵からカメラを保護することが可能になると共に、カメラ不使用時には遮蔽部材の全面を有色状態にすることで、前記カメラを外部から見えないように隠して撮像していないことを第三者に明確に示すことが可能になる。
【００２４】
上記の課題を解決するために、請求項９に記載の発明は、請求項１から請求項８のいずれか一項に記載の携帯端末装置であって、前記遮蔽部材は、ドットマトリクス表示ディスプレイによって形成され、前記制御手段は各ドット毎に透明状態と有色状態とに制御可能なことを特徴とする。
【００２５】
よって、ドットマトリクス表示ディスプレイで形成した遮蔽部材を設けることにより、携帯端末装置は小型性、操作耐久性および耐落下衝撃性を保持しつつ、常に外塵からカメラを保護することが可能になると共に、カメラ不使用時には遮蔽部材に時刻、所定のキャラクター、着信情報などを表示させることができ、使用者の利便性が向上するという効果がある。
【００２６】
上記の課題を解決するために、請求項１０に記載の発明は、請求項９に記載の携帯端末装置であって、前記制御手段の制御によって、前記遮蔽部材は、所定パターンの領域が透明状態と有色状態とに変化し、前記有色状態では前記所定パターンが表示されることを特徴とする。
【００２７】
よって、カメラ不使用時には遮蔽部材に時刻、所定のキャラクター、着信情報などを表示させることができ、使用者の利便性が向上するという効果がある。
【００２８】
上記の課題を解決するために、請求項１１に記載の発明は、請求項１から請求項１０のいずれか一項に記載の携帯端末装置であって、前記制御手段の制御によって、前記遮蔽部材は、前記カメラを覆う箇所のみを透明状態に変化させることを特徴とする。
【００２９】
よって、カメラ使用時には遮蔽部材のカメラを覆う箇所である撮像箇所のみ透明状態にしてカメラを外部に露呈させ、カメラを覆わない箇所である情報表示箇所に撮像可能枚数などを表示させたり、カメラによって撮像される像を表示させて、使用者自身を撮影する場合にフレーム（撮像範囲）を定めるために利用するなどの使用者の利便性が向上するという効果がある。
【００３０】
上記の課題を解決するために、請求項１２に記載の発明は、請求項１から請求項１１のいずれか一項に記載の携帯端末装置であって、前記制御手段の制御によって、前記遮蔽部材の前記カメラを覆わない箇所に、前記カメラによって撮像される像を映し出すことを特徴とする。
【００３１】
よって、カメラによって撮像される像を表示させて、使用者自身を撮影する場合にフレーム（撮像範囲）を定めるために利用するなどの使用者の利便性が向上するという効果がある。
【００３２】
【発明の実施の形態】
本発明に好適な実施の形態を図面に基づいて説明する。
【００３３】
なお、以下に説明する実施の形態は、携帯電話器に対して本発明を適用した場合の実施の形態である。
（第１の実施の形態）
図１は第１の実施の形態による携帯端末装置としての携帯電話器の外観説明図であり、図２は要部断面図である。
【００３４】
図１（ａ）は携帯電話器に設けたカメラを使用しないカメラ不使用時を示す説明図であり、図１（ｂ）は携帯電話器に設けたカメラを使用するカメラ使用時を示す説明図である。
【００３５】
携帯電話器１００は、その筐体１０１の内部に撮像用のＣＣＤなどのカメラ１０２を搭載している。
【００３６】
また、筐体１０１には窓１０３を設け、この窓１０３を介してカメラ１０２に外光を導くように構成されている。
【００３７】
さらに、遮蔽部材１０４をこの窓１０３とカメラ１０２の間であって、窓１０３を塞ぐような位置に設置する。すなわち、携帯電話器１００を外部から見た場合、遮蔽部材１０４がカメラ１０２を覆っている状態となる。
【００３８】
図３は携帯電話器の概略構成を示すブロック図である。
【００３９】
携帯電話器１００は、カメラ１０２、遮蔽部材１０４、制御手段としての制御部２００、表示部２０１、操作部２０２、マイク２０３、スピーカ２０４、アンテナ２０５および記憶部２０６より構成される。
【００４０】
制御部２００は、携帯電話器１００の全体の制御を行う。
【００４１】
表示部２０１は、通常携帯電話器１００の前面に配置され、液晶ディスプレイなどを用いて構成される。カメラ１０２によって撮像される像を制御部２００の制御により表示することができる。
【００４２】
また、この表示部２０１は通常の着信待ち受け時には時刻を表示したり、携帯電話器１００の各種の状態を表示したり、着信時には電話をかけてきた相手の電話番号などを表示したりするためのものである。
【００４３】
操作部２０２は、制御部２００を介して使用者が携帯電話器１００を操作することを可能にするためのもので、電源キー２０２ａ、電話番号の入力のためのテンキー２０２ｂ、携帯電話器１００をカメラ撮像状態にするための撮像モードキー２０２ｃ、カメラのシャッター２０２ｄおよび制御部２００を介してスピーカ２０４の音量を操作する音量ボタン２０２ｅを具備する。
【００４４】
マイク２０３とスピーカ２０４は、通常、携帯電話器１００の前面の、通話をするために携帯電話器１００を耳、口に接近させて使用するのに適当な部位に配置される。
【００４５】
アンテナ２０５は、電波を送受信するためのものである。
【００４６】
遮蔽部材１０４は透明ＥＬ（Ｅｌｅｃｔｒｏ　　Ｌｕｍｉｎｅｓｃｅｎｔ）デバイスによって形成されており、電圧印加のＯＮ、ＯＦＦによって、それぞれ有色状態、透明状態に変化することが可能になる。電圧印加をＯＦＦにすると、遮蔽部材１０４は透明状態になり、電圧印加をＯＮにすると、遮蔽部材１０４は発光して有色状態になる。なお、遮蔽部材１０４をその発光により有色状態にする際に印加する電圧の大きさは、遮蔽部材１０４を形成する透明ＥＬデバイスの材料によってあらかじめ決定されている。
【００４７】
記憶部２０６は、電話番号データや、カメラ１０２によって撮像した像などを保存するためのものである。
【００４８】
カメラ不使用時（図１（ａ））には、遮蔽部材１０４に制御部２００の制御によって電圧を印加して発光させることにより、遮蔽部材１０４を有色状態にし、前記カメラ１０２を外部から見えないようにし、他方、カメラ使用時（図１（ｂ））には、電圧印加をＯＦＦにして、遮蔽部材１０４を透明状態にしてカメラ１０２を外部に露呈する。
【００４９】
通常、撮像モードキー２０２ｃが押下されたことを契機に撮像モードに移行するため、このとき同時に電圧の印加を、ＯＦＦにするよう図示しない制御部によって制御させても、遮蔽部材１０４へ電圧の印加するためのためのスイッチを別に設けてこのスイッチの動作に従うよう制御部２００によって制御させてもよい。
【００５０】
上述した遮蔽部材１０４を形成するための表示デバイスは透明ＥＬデバイスには限定されず、例えばカイラルネマティック液晶デバイスやエレクトロクロミックデバイスなどであってもよい。
【００５１】
透明ＥＬデバイスが発光によって有色状態になるのに対して、カイラルネマティック液晶デバイスを遮蔽部材１０４に使用した場合には、あらかじめ定められた電圧を印加すると、特定波長の光を選択的に反射することで、特定の色を呈して有色状態となる。
【００５２】
また、エレクトロクロミックデバイスを遮蔽部材１０４に使用した場合には、あらかじめ定められた電圧を印加すると、化学反応を生じてデバイス自体の色が特定の色に変化して発色する。
【００５３】
以上説明した第１の実施の形態によれば、遮蔽部材１０４を設けることにより、携帯電話器の小型性、操作耐久性および耐落下衝撃性を保持しつつ、常に外塵からカメラ１０２を保護することが可能になると共に、カメラ不使用時には遮蔽部材１０４に電圧を印加して発光させることで、前記カメラ１０２を外部から見えないように隠して撮像していないことを第三者に明確に示すことが可能になる。
【００５４】
（第２の実施の形態）
図４は第２の実施の形態による携帯端末装置としての携帯電話器の外観説明図である。
【００５５】
図４（ａ）はカメラ不使用時を示す説明図であり、図４（ｂ）はカメラ使用時を示す説明図である。
【００５６】
第２の実施の形態における遮蔽部材１０４Ａは、ドットマトリクス発光透明ＥＬデバイスによって形成されており、通常時は透明であり、電圧の印加時にのみ発光する。その他の構成は第１の実施の形態と同様であるので、細部の説明は省略する。
【００５７】
遮蔽部材１０４Ａは、カメラ不使用時（図４（ａ））には、遮蔽部材１０４Ａの所定のドットに電圧印加をＯＮにして、例えば時刻、所定のキャラクター、着信情報などを表示させるような所定パターンを発光させることにより、前記カメラ１０２を外部から見えないようする。
【００５８】
他方、カメラ使用時（図４（ｂ））には、電圧印加をＯＦＦにして遮蔽部材１０４Ａを透明状態にしてカメラ１０２を外部に露呈する。
【００５９】
以上説明した第２の実施の形態によれば、携帯電話器の小型性、操作耐久性および耐落下衝撃性を保持しつつ、常に外塵からカメラ１０２を保護することが可能になると共に、カメラ不使用時には遮蔽部材１０４Ａに電圧を印加して発光させることで、前記カメラ１０２を外部から見えないように隠して撮像していないことを第三者に明確に示すことが可能になる。
【００６０】
さらに、カメラ不使用時には遮蔽部材１０４Ａに時刻、所定のキャラクター、着信情報などを表示させることができ、使用者の利便性が向上するという効果がある。
【００６１】
（第３の実施の形態）
図５は第３の実施の形態による携帯端末装置としての携帯電話器の外観説明図である。
【００６２】
図５（ａ）はカメラ不使用時を示す説明図であり、図５（ｂ）はカメラ使用時を示す説明図である。
【００６３】
第３の実施の形態における遮蔽部材１０４Ｂは、ドットマトリクス発光透明ＥＬデバイスによって形成されており、カメラ使用時には電圧の印加をＯＦＦにして透明になり、カメラ１０２が露呈する撮像箇所１０４ａと、カメラ使用時には所定のドットについて電圧印加をＯＮにして撮像情報表示をおこなう情報表示箇所１０４ｂを備えている。
【００６４】
その他の構成は第２の実施の形態と同様であるので、細部の説明は省略する。
【００６５】
遮蔽部材１０４Ｂは、カメラ不使用時（図５（ａ））は、電圧印加をＯＮにして遮蔽部材１０４Ｂを発光させることで、例えば時刻、所定のキャラクター、着信情報などを表示させることにより、前記カメラ１０２を外部から見えないようする。
【００６６】
他方、カメラ使用時（図５（ｂ））には、遮蔽部材１０４Ｂの撮像箇所１０４ａのみ、電圧印加をＯＦＦにして透明状態にしてカメラ１０２を外部に露呈させる。そして、遮蔽部材１０４Ｂの情報表示箇所１０４ｂの所定のドットについて電圧印加をＯＮにして発光させると共に、例えば撮像中に残りの撮像可能枚数などを表示する。
【００６７】
以上説明した第３の実施の形態によれば、携帯電話器の小型性、操作耐久性および耐落下衝撃性を保持しつつ、常に外塵からカメラ１０２を保護することが可能になると共に、カメラ不使用時には遮蔽部材１０４Ｂに電圧を印加して発光させることで、前記カメラ１０２を外部から見えないように隠して撮像していないことを第三者に明確に示すことが可能になる。
【００６８】
さらに、カメラ不使用時には遮蔽部材１０４Ｂに時刻、所定のキャラクター、着信情報などを表示させることができる。また、撮影時には遮蔽部材１０４Ｂの撮像箇所１０４ａのみ透明状態にしてカメラを外部に露呈させ、情報表示箇所１０４ｂには撮像可能枚数などを表示させることができる。また、情報表示箇所１０４ｂにカメラ１０２によって撮像される像を表示させれば、カメラ１０２により使用者自身を撮影する場合にフレーム（撮像範囲）を定めるために利用するなどの使用者の利便性が向上するという効果がある。
【００６９】
また、上述の説明において、遮蔽部材が透明状態である場合について説明したが、この透明状態は、無色であっても、有色であってもよい。無色の場合は像がそのまま撮像され、有色の場合には、例えばセピア色など色眼鏡をかけたかのような像を得ることができる。
【００７０】
また、遮蔽部材が有色状態の場合は、遮蔽部材は透明状態であってもよく、その色の濃度が濃ければ間近でないと前記カメラ１０２を外部から観察することができないため、撮像していないことを第三者に明確に示すことが可能になる。遮蔽部材が有色状態の場合に、不透明状態であっても良いことは当然である。
【００７１】
ただし、本発明においては単なる黒色不透明になる液晶デバイスを遮蔽部材に用いることは適当でない。単なる黒色不透明では、外部から観察するとカメラを露呈している状態と変わらなくなってしまうからである。
【００７２】
また、同様に調光ガラスなどに使用される高分散型液晶デバイスを遮蔽部材に用いることも適当でない。高分散型液晶デバイスは、外光を散乱させるため、白色になるが、単なる散乱光のため、黒色のカメラを覆っても輪郭が暈けるのみであるため、外部から観察するとカメラを露呈している状態と変わらなくなってしまうあらである。
【００７３】
【発明の効果】
以上説明した如く、請求項１に記載の発明によれば、遮蔽部材を設けることにより、携帯端末装置は小型性、操作耐久性および耐落下衝撃性を保持しつつ、常に外塵からカメラを保護することが可能になると共に、遮蔽部材を有色状態にすることで、前記カメラを外部から見えないように隠して撮像していないことを第三者に明確に示すことが可能になる。
【００７４】
また、請求項２に記載の発明によれば、請求項１に記載の発明の効果に加えて、カメラ不使用時には遮蔽部材を有色状態にすることで、前記カメラを外部から見えないように隠して撮像していないことを第三者に明確に示すことが可能になる。
【００７５】
また、請求項３に記載の発明によれば、遮蔽部材を設けることにより、携帯端末装置は小型性、操作耐久性および耐落下衝撃性を保持しつつ、常に外塵からカメラを保護することが可能になると共に、カメラ不使用時には遮蔽部材で外光の特定波長を反射させて有色状態にすることで、前記カメラを外部から見えないように隠して撮像していないことを第三者に明確に示すことが可能になる。
【００７６】
また、請求項４に記載の発明によれば、カイラルネマティック液晶デバイスで形成した遮蔽部材を設けることにより、携帯端末装置は小型性、操作耐久性および耐落下衝撃性を保持しつつ、常に外塵からカメラを保護することが可能になると共に、カメラ不使用時には遮蔽部材で外光の特定波長を反射させて有色状態にすることで、前記カメラを外部から見えないように隠して撮像していないことを第三者に明確に示すことが可能になる。
【００７７】
また、請求項５に記載の発明によれば、遮蔽部材を設けることにより、携帯端末装置は小型性、操作耐久性および耐落下衝撃性を保持しつつ、常に外塵からカメラを保護することが可能になると共に、カメラ不使用時には遮蔽部材を発光させて有色状態とすることで、前記カメラを外部から見えないように隠して撮像していないことを第三者に明確に示すことが可能になる。
【００７８】
また、請求項６に記載の発明によれば、透明ＥＬデバイスで形成した遮蔽部材を設けることにより、携帯端末装置は小型性、操作耐久性および耐落下衝撃性を保持しつつ、常に外塵からカメラを保護することが可能になると共に、カメラ不使用時には遮蔽部材を発光させて有色状態とすることで、前記カメラを外部から見えないように隠して撮像していないことを第三者に明確に示すことが可能になる。
【００７９】
また、請求項７に記載の発明によれば、エレクトロクロミックデバイスで形成した遮蔽部材を設けることにより、携帯端末装置は小型性、操作耐久性および耐落下衝撃性を保持しつつ、常に外塵からカメラを保護することが可能になると共に、カメラ不使用時には遮蔽部材を発色させて有色状態とすることで、前記カメラを外部から見えないように隠して撮像していないことを第三者に明確に示すことが可能になる。
【００８０】
また、請求項８に記載の発明によれば、請求項１から請求項８のいずれか一項に記載の発明の効果に加えて、カメラ不使用時には遮蔽部材の全面を発光させて有色状態とすることで、前記カメラを外部から見えないように隠して、撮像していないことを第三者に明確に示すことが可能になる。
【００８１】
また、請求項９に記載の発明によれば、請求項１から請求項８のいずれか一項に記載の発明の効果に加えて、ドットマトリクス表示ディスプレイで形成した遮蔽部材を設けることにより、カメラ不使用時には遮蔽部材に時刻、所定のキャラクター、着信情報などを表示させることができ、使用者の利便性が向上するという効果がある。
【００８２】
また、請求項１０に記載の発明によれば、請求項９に記載の発明の効果に加えて、所定パターンの領域にカメラ不使用時には遮蔽部材に時刻、所定のキャラクター、着信情報などを表示させることができ、使用者の利便性が向上するという効果がある。
【００８３】
また、請求項１１に記載の発明によれば、請求項１から請求項１０のいずれか一項に記載の発明の効果に加えて、カメラ使用時には遮蔽部材のカメラを覆う箇所である撮像箇所のみ透明状態にしてカメラを外部に露呈させ、カメラを覆わない箇所である情報表示箇所に撮像可能枚数などを表示させたり、カメラによって撮像される像を表示させて、使用者自身を撮影する場合にフレーム（撮像範囲）を定めるために利用するなどの使用者の利便性が向上するという効果がある。
【００８４】
また、請求項１２に記載の発明によれば、請求項１から請求項１０のいずれか一項に記載の発明の効果に加えて、遮蔽部材のカメラを覆わない箇所に、カメラによって撮像される像を表示させて、使用者自身を撮影する場合にフレーム（撮像範囲）を定めるために利用するなどの使用者の利便性が向上するという効果がある。
【図面の簡単な説明】
【図１】第１の実施の形態による携帯端末装置としての携帯電話器の外観説明図
【図２】第１の実施の形態による携帯電話器の要部断面図
【図３】携帯電話器の概略構成を示すブロック図
【図４】第２の実施の形態による携帯端末装置としての携帯電話器の外観説明図
【図５】第３の実施の形態による携帯端末装置としての携帯電話器の外観説明図
【図６】従来技術によるカメラ付き携帯電話器の説明図
【符号の説明】
１００　携帯電話器
１０１　筐体
１０２　カメラ
１０３　窓
１０４　遮蔽部材
１０４ａ　撮像箇所
１０４ｂ　情報表示箇所
２００　制御部
２０１　表示部
２０２　操作部
２０３　マイク
２０４　スピーカ
２０５　アンテナ
２０６　記憶部
５０　携帯電話器本体
５１　カメラ
５２　遮蔽部材
５３　溝部
【図１】
2004056297.tif 000003
【図２】
2004056297.tif 000004
【図３】
2004056297.tif 000005
【図４】
2004056297.tif 000006
【図５】
2004056297.tif 000007
【図６】
2004056297.tif 000008